(57)【特許請求の範囲】
【請求項１】
本体枠に対して回動可能に設けられる遊技機前面体と、
前記遊技機前面体に回動可能に支持されるとともに、遊技演出を表示する表示装置が取り付けられた遊技ユニット体と、
前記遊技機前面体及び前記遊技ユニット体のそれぞれに対して後方に回動可能であるとともに、前記遊技ユニット体の裏面側を覆う遊技機裏面体と、
前記遊技機前面体を前記本体枠に閉鎖した場合、前記遊技機前面体と前記本体枠とを施錠し、前記遊技機裏面体を前記遊技機前面体に閉鎖した場合、前記遊技機裏面体と前記遊技機前面体とを施錠する施錠装置と、
を備えた遊技機において、
前記遊技ユニット体は、裏面視でその周縁部分のうちで少なくとも前記表示装置の周囲での所定箇所が裏面側の方に延出した延出縁を備えるとともに、当該延出縁には前記表示装置を固定する固定手段の操作部を操作するための開口部が設けられており、
前記遊技機前面体は、前記遊技機裏面体を閉鎖した場合には前記開口部を覆う状態となり、前記遊技機裏面体を開放した場合には、前記開口部を覆わない状態となる被覆部が設けられ、
前記施錠装置は、
遊技機前面側から解錠操作を行う場合に用いられる外部操作手段を備え、
前記外部操作手段を用いて前記遊技機前面体を解錠する第１解錠操作と、前記外部操作手段を用いて前記遊技機裏面体を解錠する第２解除操作とが、行われるものであって、
前記外部操作手段の前記第１解錠操作に連動して解錠側へ移動する第１移動手段と、
前記本体枠に対して前記遊技機前面体を施錠する第１施錠位置とそれを解錠する第１解錠位置とに移動可能であり且つ前記第１移動手段の前記解錠側への移動に連動して前記第１解錠位置へと移動する第１施錠手段と、
前記外部操作手段の前記第２解錠操作に連動して解錠側へ移動する第２移動手段と、
前記遊技機前面体に対して前記遊技機裏面体を施錠する第２施錠位置とそれを解錠する第２解錠位置とに移動可能であり且つ前記第２移動手段の前記解錠側への移動に連動して前記第２解錠位置へと移動する第２施錠手段と、
前記外部操作手段を前記第１解錠操作した場合に、前記第１移動手段をその解錠側で保持することにより前記外部操作手段を前記第１解錠操作位置で固定し、該外部操作手段を前記第１解錠操作位置で固定することにより前記外部操作手段を前記第２解錠操作できないようにする保持部材と、
前記保持部材の機能を使用するか否かを選択可能な切換え手段と
を備えたことを特徴とする遊技機。
【発明の詳細な説明】
【技術分野】
【０００１】
この発明は、遊技球を使用するパチンコ機、メダルまたは遊技球使用の回胴遊技機などの各種の遊技機に関する。
【背景技術】
【０００２】
従来、遊技機の代表例として例えばパチンコ機がある。このパチンコ機は、遊技球が打ち込まれる遊技領域を有する遊技盤と、この遊技盤の裏面側に取り付けられて、遊技領域の中央部分の開口窓から視認可能な液晶表示装置とを備えている。この液晶表示装置は、図柄の変動表示を遊技者に提供するものであり、一側に設けられたヒンジ部によって遊技盤の裏面側に対して着脱自在で回動可能に取り付けられているものがある（例えば、特許文献１参照）。
【０００３】
また、遊技機としては、遊技球使用の回胴遊技機もある。この遊技球使用の回胴遊技機は、例えば、当該回胴遊技機の外殻を形成し遊技場（ホール）の遊技島に固定される外枠と、この外枠の正面視での左端側を開閉軸として当該外枠に対して開閉可能に支持された前面扉と、この前面扉の裏面側に当該前面扉に対して開閉可能の支持された裏面側部材と、を備え、前面扉には、正面視で上から順に、後述する液晶表示装置の表示画面が視認可能な液晶用視認窓と、後述する回動リールが視認可能なリール用視認窓とが配設されており、裏面側部材は、その裏面側に下から順に、遊技者に大当たりの有無を知らせるための各種の図柄が表示されたリールを回動・停止する回動リール装置と、この回動リール装置等と連動して遊技表示演出を表示する液晶表示装置とが取り付けられている。
【先行技術文献】
【特許文献】
【０００４】
【特許文献１】特開２０００−３０８７３０号公報（第３−４頁，第３、５図）
【発明の概要】
【発明が解決しようとする課題】
【０００５】
しかしながら、このような構成を有する従来例の場合には、次のような問題がある。
すなわち、従来の遊技機は、例えば、さらなる遊技の興趣性向上のために、液晶表示装置の大型化が要求されているだけでなく、表示画面をできる限り遊技者に近い位置とするためにその液晶表示装置を裏面側部材の裏面視で奥側箇所（言い換えれば裏面側部材の正面側に最も近い箇所である）に配設することが考えられるが、液晶表示装置は、その側面の所定箇所に、裏面側部材に対して固定するための固定部材を備えており、液晶表示装置を裏面側部材の奥まった位置に位置させた状態にして、この固定部材を操作しなければならないので、液晶表示装置が大型化する程やり難くなるし、奥まった位置に行く程操作がし辛い。つまり、液晶表示装置の裏面側部材への取り付け作業がし辛いし、取り外し作業も同じくし辛いことから、液晶表示装置の裏面側部材への着脱作業が煩雑になるという問題がある。
【０００６】
そこで、液晶表示装置を裏面側部材の取付位置に位置させた状態で固定部材の対応する裏面側部材での箇所に、固定部材操作用の開口部を形成することで、固定部材操作を改善することはできるが、この開口部を不正に利用する不正行為が行われるという別異の問題が生じることになる。つまり、裏面側部材には、不正行為対象となる制御基板（例えば主制御基板など）が設けられているため、裏面側部材に開口部を設けることは不正防止の観点から好ましくない。
【０００７】
本発明は、このような事情に鑑みてなされたものであって、遊技部品に対する作業性の向上と不正行為の抑制とを好適に実現できる遊技機を提供することを目的とする。
【課題を解決するための手段】
【０００８】
この発明は、このような目的を達成するために、次のような構成をとる。
すなわち、請求項１に記載の発明は、
本体枠に対して回動可能に設けられる遊技機前面体と、
前記遊技機前面体に回動可能に支持されるとともに、遊技演出を表示する表示装置が取り付けられた遊技ユニット体と、
前記遊技機前面体及び前記遊技ユニット体のそれぞれに対して後方に回動可能であるとともに、前記遊技ユニット体の裏面側を覆う遊技機裏面体と、
前記遊技機前面体を前記本体枠に閉鎖した場合、前記遊技機前面体と前記本体枠とを施錠し、前記遊技機裏面体を前記遊技機前面体に閉鎖した場合、前記遊技機裏面体と前記遊技機前面体とを施錠する施錠装置と、
を備えた遊技機において、
前記遊技ユニット体は、裏面視でその周縁部分のうちで少なくとも前記表示装置の周囲での所定箇所が裏面側の方に延出した延出縁を備えるとともに、当該延出縁には前記表示装置を固定する固定手段の操作部を操作するための開口部が設けられており、
前記遊技機前面体は、前記遊技機裏面体を閉鎖した場合には前記開口部を覆う状態となり、前記遊技機裏面体を開放した場合には、前記開口部を覆わない状態となる被覆部が設けられ、
前記施錠装置は、
遊技機前面側から解錠操作を行う場合に用いられる外部操作手段を備え、
前記外部操作手段を用いて前記遊技機前面体を解錠する第１解錠操作と、前記外部操作手段を用いて前記遊技機裏面体を解錠する第２解除操作とが、行われるものであって、
前記外部操作手段の前記第１解錠操作に連動して解錠側へ移動する第１移動手段と、
前記本体枠に対して前記遊技機前面体を施錠する第１施錠位置とそれを解錠する第１解錠位置とに移動可能であり且つ前記第１移動手段の前記解錠側への移動に連動して前記第１解錠位置へと移動する第１施錠手段と、
前記外部操作手段の前記第２解錠操作に連動して解錠側へ移動する第２移動手段と、
前記遊技機前面体に対して前記遊技機裏面体を施錠する第２施錠位置とそれを解錠する第２解錠位置とに移動可能であり且つ前記第２移動手段の前記解錠側への移動に連動して前記第２解錠位置へと移動する第２施錠手段と、
前記外部操作手段を前記第１解錠操作した場合に、前記第１移動手段をその解錠側で保持することにより前記外部操作手段を前記第１解錠操作位置で固定し、該外部操作手段を前記第１解錠操作位置で固定することにより前記外部操作手段を前記第２解錠操作できないようにする保持部材と、
前記保持部材の機能を使用するか否かを選択可能な切換え手段と
を備えたことを特徴とするものである。
【発明の効果】
【０００９】
この発明に係る遊技機によれば、遊技部品に対する作業性の向上と不正行為の抑制とを好適に実現できる遊技機を提供することができる。
【図面の簡単な説明】
【００１０】
【図１】本発明の一実施の形態における遊技機の全体を示す斜視図である。
【図２】遊技機の正面図である。
【図３】遊技機の内部開放状態を示す斜視図である。
【図４】遊技機の内部開放状態を示す斜視図である。
【図５】遊技機の背面図である。
【図６】（ａ）は遊技機本体部を背面側から見た図、（ｂ），（ｃ）はドアブロックに対する遊技盤ブロックと払出ブロックの開放動作状況を示す図である。
【図７】ドアブロックを前方から見た分解斜視図である。
【図８】ドアブロックを後方から見た分解斜視図である。
【図９】ドアブロックを構成する前扉体と背面枠とを分離してそれらを前方から見た斜視図である。
【図１０】ドアブロックを構成する前扉体と背面枠とを分離してそれらを後方から見た斜視図である。
【図１１】受皿ブロックの斜視図である。
【図１２】遊技盤ブロックの後方斜視図である。
【図１３】遊技盤ブロックの分解斜視図である。
【図１４】前面枠体とリール装置との斜視図である。
【図１５】払出ブロックの斜視図である。
【図１６】払出ブロックの背面図である。
【図１７】（ａ）は施錠装置の構成を示す斜視図、（ｂ）は施錠装置の裏面カバーを外した斜視図である。
【図１８】（ａ）〜（ｄ）は順に施錠装置を後方右側、前方左側、前方右側、後方左側から見た状態を示す斜視図である。
【図１９】（ａ）は操作キー未挿入状態での施錠装置を後方左側から見た図、（ｂ）は操作キーを時計回りに回動させた状態での施錠装置を後方左側から見た図、（ｃ）は操作キーを反時計回りに回動させた状態での施錠装置を後方左側から見た図である。
【図２０】（ａ）は施錠装置の固定機構がアンロック状態である場合における要部側面図、（ｂ）は要部斜視図であり、（ｃ）は施錠装置の固定機構がロック状態である場合における要部側面図、（ｄ）は要部斜視図である。
【図２１】（ａ）〜（ｃ）は、操作キーの回動固定状態のままでドアブロックを閉じる場合での自動復帰機構の動作を説明するための図である。
【図２２】遊技盤ブロックの背面側に液晶表示装置を取り付ける様子を示す後方斜視図である。
【図２３】前面枠体の背面側に液晶表示装置を取り付ける様子を示す前方斜視図である。
【図２４】（ａ）は操作レバーが解除位置にある前面枠体の上半分を示す前方斜視図であり、（ｂ）は操作レバーが固定位置にある前面枠体の上半分を示す前方斜視図である。
【図２５】操作レバーを固定位置から解除位置にする際の前面枠体の上半分を示す前方斜視図である。
【図２６】前面枠体の操作レバーの箇所の拡大斜視図である。
【図２７】ドアブロックに対して閉じた状態の遊技主要ブロックでの液晶表示装置部分の断面図である。
【図２８】遊技盤ブロックの前面枠体の背面側に液晶表示装置を固定した状態での当該液晶表示装置部分の断面図である。
【発明を実施するための形態】
【００１１】
本明細書は、次のような遊技機に係る発明も開示している。
（０） 本体枠と、この本体枠の前面側に開閉可能に支持される前面扉部材と、この前面扉部材の裏面側に開閉可能に支持される裏面側部材とを備えた遊技機において、
前記裏面側部材は、その裏面側に、遊技表示演出を表示する画像表示装置が取り付けられ、かつ、その前面側から前記画像表示装置の表示画面が視認可能となっており、裏面視でその周縁部分のうちで少なくとも前記画像表示装置の周囲での所定箇所が裏面側の方に延出した延出縁を備え、
前記画像表示装置は、前記裏面側部材の取付位置に位置させた状態で、操作者により操作を受ける操作部を解除位置から固定位置に操作することでこの裏面側部材に固定する固定手段を備え、
前記裏面側部材は、前記画像表示装置をこの裏面側部材の取付位置に位置させた状態で前記操作部の対応する前記延出縁での箇所に、前記操作部を操作するための開口部を備え、
前記前面扉部材は、前記裏面側部材を閉じた状態で当該裏面側部材の前記開口部を覆う被覆部を備えている
ことを特徴とする遊技機。
【００１２】
前記（０）に記載の発明によれば、遊技機は、本体枠と、この本体枠の前面側に開閉可能に支持される前面扉部材と、この前面扉部材の裏面側に開閉可能に支持される裏面側部材とを備えている。裏面側部材は、その裏面側に、遊技表示演出を表示する画像表示装置とが取り付けられ、かつ、その前面側から画像表示装置の表示画面が視認可能となっており、裏面視でその周縁部分のうちで少なくとも画像表示装置の周囲での所定箇所が裏面側の方に延出した延出縁を備えている。画像表示装置は、裏面側部材の取付位置に位置させた状態で、固定手段の操作部が操作者により解除位置から固定位置に操作されることで、固定手段によって裏面側部材に固定される。裏面側部材は、画像表示装置をこの裏面側部材の取付位置に位置させた状態で操作部の対応する延出縁での箇所に、操作部を操作するための開口部を備えている。前面扉部材は、裏面側部材を閉じた状態でこの裏面側部材の開口部が被覆部によって覆われる。
【００１３】
したがって、裏面側部材の延出縁の所定箇所には、画像表示装置を固定する固定手段の操作部を操作するための開口部を備えており、裏面側部材を前面扉部材から開いた状態では、操作者が延出縁の開口部を介して固定手段の操作部を操作することができ、大型の画像表示装置を搭載する場合でもこの画像表示装置の着脱を容易に行うことができる。また、このような開口部を裏面側部材に形成しても、裏面側部材を前面扉部材に閉じた状態にした場合には、前面扉部材の被覆部で裏面側部材の延出縁の開口部が覆われているので、延出縁の開口部を露出させない状態とすることができ、この開口部を不正に利用する不正行為を低減できる。
【００１４】
その結果、裏面側部材での遊技性を上げるための配置（例えば裏面側部材の奥位置）への画像表示装置の着脱作業が容易で、かつ、不正行為を低減できる遊技機を提供することができる。
【００１５】
（１）  本体枠と、この本体枠の前面側に開閉可能に支持される前面扉部材と、この前面扉部材の裏面側に開閉可能に支持される裏面側部材とを備えた遊技機において、
前記裏面側部材は、その裏面側に、遊技者に大当たりの有無を知らせるための各種の図柄が表示されたリールを回動・停止する回動リール装置が取り付けられ、かつ、その前面側から前記回動リール装置のリール部分が視認可能となっており、裏面視でその周縁部分のうちで少なくとも前記回動リール装置の周囲での所定箇所が裏面側の方に延出した延出縁を備え、
前記回動リール装置は、前記裏面側部材の取付位置に位置させた状態で、操作者により操作を受ける操作部を解除位置から固定位置に操作することでこの裏面側部材に固定する固定手段を備え、
前記裏面側部材は、前記回動リール装置をこの裏面側部材の取付位置に位置させた状態で前記操作部の対応する前記延出縁での箇所に、前記操作部を操作するための開口部を備え、
前記前面扉部材は、前記裏面側部材を閉じた状態で当該裏面側部材の前記開口部を覆う被覆部を備えている
ことを特徴とするものである。
【００１６】
前記（１）に記載の発明によれば、遊技機は、本体枠と、この本体枠の前面側に開閉可能に支持される前面扉部材と、この前面扉部材の裏面側に開閉可能に支持される裏面側部材とを備えている。裏面側部材は、その裏面側に、遊技者に大当たりの有無を知らせるための各種の図柄が表示されたリールを回動・停止する回動リール装置が取り付けられ、かつ、その前面側から回動リール装置のリール部分が視認可能となっており、裏面視でその周縁部分のうちで少なくとも回動リール装置の周囲での所定箇所が裏面側の方に延出した延出縁を備えている。回動リール装置は、裏面側部材の取付位置に位置させた状態で、固定手段の操作部が操作者により解除位置から固定位置に操作されることで、固定手段によって裏面側部材に固定される。裏面側部材は、回動リール装置をこの裏面側部材の取付位置に位置させた状態で操作部の対応する延出縁での箇所に、操作部を操作するための開口部を備えている。前面扉部材は、裏面側部材を閉じた状態でこの裏面側部材の開口部が被覆部によって覆われる。
【００１７】
したがって、裏面側部材の延出縁の所定箇所には、回動リール装置を固定する固定手段の操作部を操作するための開口部を備えており、裏面側部材を前面扉部材から開いた状態では、操作者が延出縁の開口部を介して固定手段の操作部を操作することができ、大型の回動リール装置を搭載する場合でもこの回動リール装置の着脱を容易に行うことができる。また、このような開口部を裏面側部材に形成しても、裏面側部材を前面扉部材に閉じた状態にした場合には、前面扉部材の被覆部で裏面側部材の延出縁の開口部が覆われているので、延出縁の開口部を露出させない状態とすることができ、この開口部を不正に利用する不正行為を低減できる。
【００１８】
その結果、裏面側部材での遊技性を上げるための配置（例えば裏面側部材の奥位置）への回動リール装置の着脱作業が容易で、かつ、不正行為を低減できる遊技機を提供することができる。
【００１９】
（２）  前記（０）に記載の遊技機において、
前記裏面側部材は、その裏面側に、前記画像表示装置の他に、遊技者に大当たりの有無を知らせるための各種の図柄が表示されたリールを回動・停止する回動リール装置も取り付けられ、その前面側から前記回動リール装置のリール部分と前記画像表示装置の表示画面とが視認可能となっている
ことを特徴とする遊技機。
【００２０】
前記（２）に記載の発明によれば、回動リール装置と画像表示装置とが裏面側部材の裏面側に取り付けられる遊技機であっても、前述の前記（０）と同様の効果を有する。
【００２１】
（３）  前記（０）から（２）のいずれかひとつに記載の遊技機において、
前記裏面側部材は、その裏面側を覆うカバー部材を備えている
ことを特徴とする遊技機。
【００２２】
前記（３）に記載の発明によれば、裏面側部材は、その裏面側を覆うカバー部材を備えている。つまり、カバー部材を開放しないと、裏面側部材の裏面側が露出しないようにされているので、不正行為を低減できる。
【００２３】
（４）  前記（０）から（３）のいずれかひとつに記載の遊技機において、
前記裏面側部材は、前記画像表示装置が取り付けられる取付位置の所定箇所に、前記画像表示装置の底面を受ける底受け部を備えている
ことを特徴とする遊技機。
【００２４】
前記（４）に記載の発明によれば、裏面側部材は、画像表示装置が取り付けられる取付位置の所定箇所に、画像表示装置の底面を受ける底受け部を備えているので、画像表示装置を裏面側部材の底受け部に預けた状態とすることができ、この預けた状態で操作部を操作すればよく、取付者が画像表示装置を持ち上げた状態で維持する必要がなく、画像表示装置の取り付け作業の負担を低減できる。また、画像表示装置の取り外しの際も、操作部を解除位置に操作するだけでよく、画像表示装置を落下させないように持ち上げておく必要がないので、画像表示装置の取り外し作業の負担も低減できる。
【００２５】
（５）  前記（４）に記載の遊技機において、
前記底受け部は、前記画像表示装置が載置された状態でこの前記画像表示装置が前記裏面側部材の方にもたれかかるような傾斜面となっている
ことを特徴とする遊技機。
【００２６】
前記（５）に記載の発明によれば、底受け部は、画像表示装置が載置された状態でこの画像表示装置が裏面側部材の方にもたれかかるような傾斜面となっている。つまり、裏面側部材は、画像表示装置を底受け部に載置した状態で、この画像表示装置が当該裏面側部材の方にもたれかかるように傾斜姿勢となっている。言い換えれば、画像表示装置を裏面側部材の底受け部に預けた状態とすることで、この画像表示装置が裏面側部材の方にもたれかかった傾斜姿勢となっており、画像表示装置を支える必要がなく、手放しした状態で操作部を操作することができ、画像表示装置の取り付け作業性に優れる。また、画像表示装置の取り外しの際も、操作部を解除位置に操作しても、画像表示装置が落下することなく裏面側部材の方にもたれかかっているので、画像表示装置を支える必要がなく、手放しした状態で操作部を操作することができ、画像表示装置の取り外し作業性にも優れる。
【００２７】
（６）  前記（５）に記載の遊技機において、
前記画像表示装置は、その底面箇所に挿入突起部を備え、
前記裏面側部材の前記底受け部は、前記画像表示装置の前記挿入突起部が挿入される挿入穴を備えている
ことを特徴とする遊技機。
【００２８】
前記（６）に記載の発明によれば、画像表示装置の底面箇所の挿入突起部が、裏面側部材の底受け部の挿入穴に挿入されるので、画像表示装置の底面が裏面側部材の底受け部からずれていくようなことがなく、安全性に優れる。
【００２９】
（７）  前記（５）に記載の遊技機において、
前記画像表示装置は、その底面箇所に挿入穴を備え、
前記裏面側部材の前記底受け部は、前記画像表示装置の前記挿入穴に挿入される挿入突起部を備えている
ことを特徴とする遊技機。
【００３０】
前記（７）に記載の発明によれば、画像表示装置の底面箇所の挿入穴に、裏面側部材の底受け部の挿入突起部が挿入されるので、画像表示装置の底面が裏面側部材の底受け部からずれていくようなことがなく、安全性に優れる。
【００３１】
（８）  前記（０）から（７）のいずれか一つに記載の遊技機において、
前記裏面側部材の延出縁は、前記裏面側部材の前面側に近い第１延出縁と、この第１延出縁から前記裏面側部材の裏面側に向けて一段上る上り段差延出縁とを有する二段構造となっており、
前記開口部は、前記第１延出縁の所定箇所に設けられており、
前記前面扉部材は、前記裏面側部材の側に、前記二段構造の延出縁と近接または当接する段差内周部を備えている
ことを特徴とする遊技機。
【００３２】
前記（８）に記載の発明によれば、裏面側部材の延出縁は、この裏面側部材の前面側に近い第１延出縁と、この第１延出縁から裏面側部材の裏面側に向けて一段上る上り段差延出縁とを有する二段構造となっており、開口部は、第１延出縁の所定箇所に設けられており、前面扉部材は、裏面側部材の側に、二段構造の延出縁と近接または当接する段差内周部を備えているので、前面扉部材に裏面側部材を閉じた状態では、第１延出縁がさらにアクセスし難くなっており、不正行為を低減できる。
【００３３】
（９）  前記（０）から（８）のいずれか一つに記載の遊技機において、
前記前面扉部材および前記裏面側部材を閉状態に施錠する施錠装置を備え、
前記施錠装置は、鍵が挿入される鍵穴を備え、前記鍵穴に挿入された鍵が第１の方向に回動操作されることで前記前面扉部材を解錠するとともに、前記鍵穴に挿入された鍵が第１の方向とは異なる第２の方向に回動操作されることで前記裏面側部材を解錠するものである
ことを特徴とする遊技機。
【００３４】
前記（９）に記載の発明によれば、施錠装置は、前面扉部材および裏面側部材を閉状態に施錠する。さらに、この施錠装置は、鍵が挿入される鍵穴を備えており、鍵穴に挿入された鍵が第１の方向に回動操作されることで前面扉部材を解錠するとともに、鍵穴に挿入された鍵が第１の方向とは異なる第２の方向に回動操作されることで裏面側部材を解錠するものである。したがって、施錠装置の鍵穴に鍵を挿入して第２の方向に回動操作しなければ、裏面側部材を開いた状態にできないので、裏面側部材の不正開放を低減できる。また、裏面側部材が閉じた状態のままでは、裏面側部材の延出縁の開口部が露出しない状態であり、この開口部を不正に利用する不正行為を低減できる。
【００３５】
（１０）  前記（０）から（９）のいずれか一つに記載の遊技機において、
前記裏面側部材は、その裏面側に、遊技に関する所定の制御を行う制御手段を備え、
さらに、前記制御手段は前記カバー部材で覆われている
ことを特徴とする遊技機。
【００３６】
前記（１０）に記載の発明によれば、裏面側部材は、その裏面側に、遊技に関する所定の制御を行う制御手段を備えている。さらに、制御手段はカバー部材で覆われている。つまり、カバー部材を開放しないと、制御手段は露出しないようにされているので、不正行為を低減できる。
【００３７】
（１１）  前記（０）から（１０）のいずれか一つに記載の遊技機において、
前記遊技機はパチンコ機であることを特徴とする遊技機。
【００３８】
前記（１１）に記載の遊技機によれば、裏面側部材での遊技性を上げるための配置（例えば裏面側部材の奥位置）への画像表示装置や回動リール装置の着脱作業が容易で、かつ、不正行為を低減できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３９】
（１２）  前記（０）から（１０）のいずれか一つに記載の遊技機において、
前記遊技機はスロットマシンであることを特徴とする遊技機。
【００４０】
前記（１２）に記載の遊技機によれば、裏面側部材での遊技性を上げるための配置（例えば裏面側部材の奥位置）への画像表示装置や回動リール装置の着脱作業が容易で、かつ、不正行為を低減できるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００４１】
（１３）  前記（０）から（１０）のいずれか一つに記載の遊技機において、
前記遊技機はパチンコ機とスロットマシンとを融合させたものであることを特徴とする遊技機。
【００４２】
前記（１３）に記載の遊技機によれば、裏面側部材での遊技性を上げるための配置（例えば裏面側部材の奥位置）への画像表示装置や回動リール装置の着脱作業が容易で、かつ、不正行為を低減できる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００４３】
（１４）  前記（０）から（１０）のいずれか一つに記載の遊技機において、
前記遊技機は、遊技者による始動操作に基づいて、複数の図柄を外周面に付した回転体の回転を開始させることで図柄の可変表示を開始し、前記回転体の回転停止時の図柄表示態様が所定の表示態様である場合に遊技球の払い出しが行われることを特徴とする遊技球使用の回胴遊技機。
【００４４】
前記（１４）に記載の遊技機によれば、裏面側部材での遊技性を上げるための配置（例えば裏面側部材の奥位置）への画像表示装置や回動リール装置の着脱作業が容易で、かつ、不正行為を低減できる、遊技球使用の回胴遊技機を提供できる。
【００４５】
以下に、本発明の遊技機（例えば、遊技球を遊技媒体として用いて遊技を行う、遊技球使用回胴遊技機）の実施の形態を、図面に基づいて詳細に説明する。
【００４６】
実施例の遊技機を、図面に基づいて詳細に説明する。実施例の遊技機１は、遊技に際して所定数の遊技媒体（遊技価値）としての遊技球（例えばパチンコ機と同様の遊技球：パチンコ球）の取込を必要とし、所定条件が成立した場合には複数の遊技球、場合によっては大量の遊技球が払い出されるよう構成されている遊技球使用の回胴遊技機である。本遊技機１には、遊技ホール等においてパチンコ機と共通の遊技球供給システムから遊技球の供給がなされるようになっており、パチンコ機が設置される既存の島設備（パチンコ島）に本遊技機を設置することが可能となっている。つまり、上記のパチンコ機用の島設備を特段に変更することなく、当該島設備に設置されていたパチンコ機に替えて、本遊技機１（遊技球使用の回胴遊技機）を設置することができる。
【００４７】
まず、遊技機１の外観構成及び内部構造の概略を説明する。ここで、図１は遊技機１の全体を示す斜視図、図２は遊技機１の正面図、図３は及び図４は遊技機１の内部開放状態を示す斜視図、図５は遊技機１の背面図である。なお以下の説明においては、特に注記しない限りは、遊技機１の正面から見た状態を基準として左右上下などの方向を記載することとする。
【００４８】
遊技機１は、図１，３に示すように、本体枠としての外枠２と、この外枠２に対して前方に片開き可能に取り付けられた遊技機本体部３とを有する。
【００４９】
外枠２は、図１〜３に示すように、木製の板材を四辺に連結し構成されるものであって、全体として矩形状をなしている。本遊技機１を遊技ホールに設置する際には、外枠２が島設備に取り付け固定される。なお、外枠２を合成樹脂やアルミニウム等の金属によって構成することも可能である。図３等では隠れて図示されていないが、外枠２を構成する四辺の板材のうち右辺の板材には、その内側上下２箇所に、後述するドアブロック４に設けた施錠装置１２０（鉤金具１２３等を備える）を係止するための鉤受け部２ａ（図３参照）が設けられている。
【００５０】
遊技機本体部３は、図４に示すように、扉体ユニットであるドアブロック４と、このドアブロック４の背面側に設けられた遊技主要ブロック５とに大別される。以下に、ドアブロック４と遊技主要ブロック５とをその順に説明する。
【００５１】
図４に示すように、ドアブロック４には上下２箇所にヒンジ金具８が設けられており、このヒンジ金具８と外枠２側の上下２箇所の支持金具９とにより、ドアブロック４（遊技機本体部３）が外枠２に対して開閉可能に支持されている。この場合、遊技機１を正面から見て左側に開閉軸線が設けられる構成となっており、遊技機本体部３は正面から見て右側を開閉先端部として開放される。外枠２に対して遊技機本体部３が閉じた状態では、ドアブロック４の外周縁部の背面が外枠２の前面に当接するようになっている。
【００５２】
また、図４に示すように、ドアブロック４は、その背面側下部に、球受皿ユニットである受皿ブロック１０が着脱可能に取り付けられている。
【００５３】
続いて、遊技主要ブロック５について説明する。この遊技主要ブロック５は、図４に示すように、絵柄表示ユニットである遊技盤ブロック６と、遊技球の払出ユニットである払出ブロック７とから構成されている。
【００５４】
具体的には、遊技盤ブロック６は、図４に示すように、ドアブロック４の背面側において受皿ブロック１０の上方で片開き自在に取り付けられ、更に遊技盤ブロック６の背面側を覆うようにして払出ブロック７が取り付けられている。この遊技盤ブロック６と払出ブロック７とは、ドアブロック４の一端側（背面視で右端側）を開閉軸としてそれぞれ片開き自在に支持されている。つまり、遊技主要ブロック５（遊技盤ブロック６と払出ブロック７とからなる）は、外枠２に対してドアブロック４と一体で片開き自在となるとともに、ドアブロック４に対して遊技盤ブロック６と払出ブロック７とが各々個別に片開き自在となる構造を有する。
【００５５】
また、図３，図５に示すように、払出ブロック７は、その背面側下部に、払出制御装置１５７と電源装置１５６とが当該背面視で左から順に横並びに取り付けられている。
【００５６】
詳しくは、電源装置１５６は、電源基板（図示省略）と、この電源基板を収容する基板ボックス１５６ａとを備えている。この基板ボックス１５６ａは、例えば合成樹脂材料にて成形されており、特に内部（電源基板）を視認可能とすべく透明ボックスとされている。
【００５７】
また、払出制御装置１５７は、払出制御基板（図示省略）と、この払出制御基板を収容する基板ボックス１５７ａとを備えている。この基板ボックス１５７ａは、例えば合成樹脂材料にて成形されており、特に内部（払出制御基板）を視認可能とすべく透明ボックスとされている。
【００５８】
ここで、遊技機本体部３を構成する上記の各部材について相対的な位置関係と動作状態を簡単に説明する。図６は遊技機本体部３を模式的に示す図面であり、図６（ａ）は遊技機本体部３を背面側から見た図、図６（ｂ），（ｃ）はドアブロック４に対する遊技盤ブロック６と払出ブロック７の開放動作状況を示す図である。
【００５９】
図６（ａ）に示すように、ドアブロック４に対して遊技盤ブロック６や払出ブロック７を開放動作させるための軸線ＡＸ１は図の右側（正面から見ると左側）に設けられている。この軸線ＡＸ１は、遊技盤ブロック６を支持するための軸線と払出ブロック７を支持するための軸線とを兼ねるものとなっている。この場合、図示のＭ１，Ｍ２は遊技盤ブロック６を支持するための支持手段であり、Ｍ３，Ｍ４は払出ブロック７を支持するための支持手段である。つまり、遊技盤ブロック６用の支持手段Ｍ１，Ｍ２は同軸で上下一対に設けられている。また、払出ブロック７用の支持手段Ｍ３，Ｍ４は、支持手段Ｍ１，Ｍ２を挟むようにして同軸で上下一対に設けられており、更に支持手段Ｍ１，Ｍ２に対しても同軸となっている。
【００６０】
上記構成により、図６（ｂ），（ｃ）の各動作が可能となっている。図６（ｂ）では、ドアブロック４に対して遊技盤ブロック６と払出ブロック７とを一体的に開放動作させている。また、図６（ｃ）では、図６（ｂ）の状態から遊技盤ブロック６に対して払出ブロック７を開放動作させている。つまり、ドアブロック４に対して遊技盤ブロック６を閉じた状態では、払出ブロック７を遊技盤ブロック６に閉じた状態で止めているレバーにアクセスできないことから、ドアブロック４に対して遊技盤ブロック６を開いた状態にしなければ、払出ブロック７を開放動作できないようになっている。
【００６１】
（ドアブロック４の説明）
次に、ドアブロック４を、図７〜図１１を用いて詳細に説明する。ここで、図７，図８は、ドアブロック４を前方及び後方から見たそれぞれの分解斜視図である。また、図９，図１０は、ドアブロック４を構成する前扉体１１と背面枠１２とを分離してそれらを前方から及び後方から見た斜視図である。図１１は受皿ブロック１０の斜視図である。
【００６２】
ドアブロック４において、前扉体１１は、外枠２とほぼ同等の大きさ（縦寸法及び横寸法）を有し、その背面側に重なるようにして背面枠１２が取り付けられている。背面枠１２は、例えばアルミダイキャストにて成形されており、前扉体１１を補強する役目を有する他、遊技主要ブロック５（遊技盤ブロック６と払出ブロック７とからなる）を支持する役目を有するものである。
【００６３】
（前扉体１１の説明）
前扉体１１は、図１に示すように、後述するリール図柄や液晶図柄等を視認可能とする図柄視認部（視認窓２１）と、遊技に際し遊技者により手動操作される操作部３０と、上皿部１５１で余剰となった遊技球などを貯留するための下皿７１とを備える。
【００６４】
すなわち、図９等に示すように、前扉体１１の上半部には、図柄視認部として略台形状をなす視認窓２１が形成されている。この視認窓２１には、平坦な透明板よりなる透明パネル２２がはめ込まれており、この透明パネル２２を介してその内方が視認可能となっている。透明パネル２２は、後述する液晶表示装置（図１３に示す液晶表示装置５０４）の前面と、後述するリール装置（図１３に示すリール装置５０３）の前面とを覆うものであり、この透明パネル２２を介して液晶表示装置５０４（図１３参照）の表示画像やリール装置５０３（図１３参照）の図柄が視認される。
【００６５】
こうした比較的大型に構成される視認窓２１（透明パネル２２）によれば、大型の液晶表示装置を用いた画像の表示演出によって遊技者に多大なインパクトを与えることが可能になることに加え、本遊技機１の主表示装置たるリール装置５０３（図１３参照）の図柄の視認性が良好なものとなっている。
【００６６】
前扉体１１の周縁部には、視認窓２１を略囲むようにして、中央ランプ部２４と左右一対の側方ランプ部２５とが設けられるとともに、前扉体１１の右上隅部及び左上隅部にスピーカ部２６が設けられている。遊技に際しては、これらランプ部２４，２５やスピーカ部２６により、その都度の遊技状況に応じたランプ演出や音声演出等が行われる。すなわち、ランプ部２４，２５による発光色や発光パターンを適宜変更したり、スピーカ部２６による音声パターンを適宜変質したりすることで、役の成立等が遊技者に告知される。また、このランプ部２４，２５やスピーカ部２６を用いて、エラー告知等を行うことも可能である。
【００６７】
ちなみに、視認窓２１は、前扉体１１の左右幅に対して左右の側方ランプ部２５を除く範囲で設けられており、故に視認窓２１は左右に幅広いものとなっている。また言い加えると、視認窓２１は、後述するリール装置５０３（図１３参照）や液晶表示装置５０４（図１３参照）の横幅よりも幅広となっている。
【００６８】
視認窓２１の下方には、遊技者により操作される各種操作部材等を配備した操作部３０が設けられている。この操作部３０は、全体として横長状をなしかつ僅かに弧状をなす前面板部３１を有し、その前面板部３１には、スタートレバー３３が設けられるとともに、３連ボタンからなるストップスイッチ３５，３６，３７が設けられている。また、前面板部３１の上端部に位置するように、向かって左寄りの位置（概ねスタートレバー３３と左側のストップスイッチ３５との間）にベットスイッチ取付板部３２が形成されており、その取付板部３２にボタン状のベットスイッチ３８が取り付けられている。
【００６９】
ベットスイッチ３８は、遊技者によるベット（賭け数）の設定を行わせるものであり、その押し操作により上皿１５１に貯留された遊技球が所定個数分取り込まれる。本実施の形態では、ベットスイッチ３８として、いわゆるＭＡＸベットスイッチを設けており、有効な１回の押し操作により３ベット相当（１５個分）の遊技球が取り込まれる。ベットスイッチ３８は、投資価値としての遊技球の投入を指令する投入指令手段を構成する。なお、ＭＡＸベットスイッチとしてのベットスイッチ３８の他に、本遊技機１では、視認窓２１（透明パネル２２）と操作部３０との間に、左右方向に延びる長板状のサブパネル部５０が設けられており、このサブパネル部５０に１ベットスイッチ５５を備えている。１ベットスイッチ５５は、１回の押し操作により１ベット相当（５個分）の遊技球を取り込ませるためのベットスイッチである。また、２ベットスイッチを設ける構成としても良い。ちなみに、２ベットスイッチは、１回の押し操作により２ベット相当（１０個分）の遊技球を取り込ませるためのベットスイッチである。なお、これらの１ベットスイッチ５５や２ベットスイッチを備えない構成としてもよい。
【００７０】
スタートレバー３３は、後述するリール装置５０３（図１３参照）の各リール（回転体）を回転開始させるための操作部材であり、各リールを回転開始、すなわち図柄の可変表示を開始させるべく操作される始動操作手段を構成する。
【００７１】
ストップスイッチ３５〜３７は、停止対象となるリール（左、中、右の三列のリール）に対応するよう設けられており、回転中の各リールを個別に停止させるために操作される停止操作手段を構成する。各ストップスイッチ３５〜３７は、各リールが定速回転となると停止させることが可能な状態となり、かかる状態中には図示しないランプが点灯表示されることによって停止操作が可能であることが報知され、各リールの回転が停止すると消灯されるようになっている。
【００７２】
操作部３０の後方には、図７，図９に示すように、前面板部３１とほぼ同じ長さを有し上方に開口した横長状の開口部４１が形成されている。この開口部４１は、前扉体１１に受皿ブロック１０を装着した場合に上皿１５１を配するための開口領域であり，開口部４１の左右方向の幅寸法は上皿１５１の左右方向の幅寸法に概ね合致し、開口部４１の前後方向の幅寸法は上皿１５１の前後方向の幅寸法よりも若干短いものとなっている。
【００７３】
操作部３０の前面板部３１には、図７，図９に示すように、正面から見て右下部に切欠部４２が形成されている。この切欠部４２は、排出操作伝達装置（図示省略）の操作レバー１８８を設置するための設置スペースとなっている。
【００７４】
また、図１，図１１に示すように、受皿ブロック１０の右側上面部分には、貸球操作部５２が設けられている。貸球操作部５２は、例えば本遊技機１の側方（例えば左方）に配置された縦長のカードユニット（球貸しユニット）に紙幣やカード等を投入した状態で、球貸し操作、カード等の返却操作及び有効度数の確認を行うものであり、球貸しボタン５６と返却ボタン５７と度数表示部５８とが一体的に並設されている。この場合、球貸しボタン５６は、カード（記録媒体）等に記録された情報に基づいて貸出球を得るために操作されるものであり、カード等に残額が存在する限りにおいて貸出球が払い出される。返却ボタン５７は、カードユニットに挿入されたカード等の返却を求める際に操作される。度数表示部５８はカード等の残額情報を表示するものである。
【００７５】
さらに、サブパネル部５０は、図２に示すように、例えば２個の演出切換ボタン５９ａ，５９ｂとを備えている。例えば、遊技者が演出切換ボタン５９ａを選択すると、第１種類の演出表示などが行われ、演出切換ボタン５９ｂを選択すると、第２種類の演出表示などが行われるようになっている。
【００７６】
前扉体１１において、情報表示部５１や貸球繰作部５２の左右の側方部には、奥側に後退するようにして弧状の凹み部６１が設けられており、その凹み部６１には、外枠２に対する遊技機本体部３の施錠及び解錠を行うための施錠装置１２０の後述する背面枠１２に設けたキーシリンダ錠１２５の前面側を露出して収納されるためのキーシリンダ設置穴６２（図９参照）が設置されている。
【００７７】
図１等で確認できるとおり左右の凹み部６１は、上皿１５１の両側で直ぐ上方に位置する。そのため、仮に遊技ホールにおいて球貸しユニットから延びる球貸しノズル（いわゆる象の鼻）を介して上皿１５１に遊技球が貸し出されるような場合にも、その球貸しノズルと前扉体１１との干渉を回避することができる。故に、遊技ホールでの設置状況を考えても有益な構成となっている。
【００７８】
更に、図１に示すように、前扉体１１において、操作部３０の下方には、凹部６１に連続するようにして膨出部７０が形成されており、その膨出部７０に囲まれるようにして下皿７１と灰皿７２が形成されている。図９に示すように、膨出部７０に囲まれた奥壁部７３には、下皿排出口７４とスピーカ穴７５とが形成されている。上皿１５１やその上流通路に遊技球が満タンに貯留されている状態であって更に払出装置（後述する図１６の払出装置６０８）から遊技球が払い出される場合、或いは、上皿１５１内に貯留されている遊技球に対して球抜き操作が行われる場合には、下皿排出口７４を介して下皿７１に遊技球が排出される。
【００７９】
図９に示すように、下皿７１の底部には開口が形成されており、その開口には開閉板７６が設けられている。また、膨出部７０の略中央部には下皿用の球抜き操作片７７が設けられている。球抜き操作片７７は、下皿７１に貯留している遊技球を下皿７１の下方に置かれた球収容箱（いわゆるドル箱）に排出するための操作片であり、図示する通常位置から左方に操作されることで開閉板７６が開位置にスライド移動し、下皿７１内の遊技球の排出が行われる。その他、膨出部７０において下皿７１の左右両側方には下皿ランプ部７８が設けられている。
【００８０】
図１０に示すように、前扉体１１の背面側の構成として、視認窓２１の左右両側には側方ランプ部２５を収容するランプ収容部９１が設けられている。
【００８１】
ここで透明パネル２２の取り付け手順を説明する。視認窓２１の下縁部にはパネル厚み分の幅でパネル受溝９３が形成されている。透明パネル２２は、前扉体１１の後方から、その下端部がパネル受溝９３に嵌め込まれるとともに、その上端部が前扉体１１の背面部に当接される。そしてその状態で、透明パネル２２の前扉体１１への取り付けが完了する。
【００８２】
（背面枠１２の説明）
図９や図１０に示すように、背面枠１２は、前扉体１１と略相似形をなす矩形状をなしており、概ね等しい細幅の左枠部１０１、右枠部１０２及び上枠部１０３と、それらよりも広幅の下枠部１０４とを有する。これら各枠部１０１〜１０４に囲まれる部位が中央開口部１０５となっており、背面枠１２の背面側には、下枠部１０４の上縁部の一部を除く範囲で中央開口部１０５を囲むようにして一定高さのリブ１０６が形成されている。また、背面枠１２において、外周縁部には前方に直角に折れ曲がった返し部１０７（図９，図１０参照）が形成されている。前扉体１１に対して背面枠１２を組み付けた際には、返し部１０７は前扉体１１の外縁部の内側に重なり、それによって前扉体１１と背面枠１２との間に空間が形成される。そしてこの空間を利用してランプ装置等が配設されるようになっている。
【００８３】
前述したように本遊技機１は、正面から見て左側に開閉軸線が設けられる構成となっており、上枠部１０３と下枠部１０４には前述のヒンジ金具８が上下２箇所に取り付けられている。
【００８４】
また、左枠部１０１には、リブ１０６の先端部から後方に延びるようにして上下一対の軸金具１１０，１１１が所定間隔を隔てて取り付けられている。この軸金具１１０，１１１は、遊技盤ブロック６や払出ブロック７を回動可能に支持するための金具部材である。軸金具１１０，１１１は共に略コ字状をなしており、軸金具１１０には上下に軸受け部１１０ａ，１１０ｂが形成され、軸金具１１１には上下に軸受け部１１１ａ，１１１ｂが形成されている。これら軸金具１１０，１１１の各軸受け部１１０ａ，１１０ｂ，１１１ａ，１１１ｂには軸孔が形成されており、軸金具１１０，１１１は全ての軸孔が何れも同一の軸線上に配置されるようリブ１０６に固定されている。
【００８５】
かかる場合、軸金具１１０の下側の軸受け部１１０ｂと軸金具１１１の上側の軸受け部１１１ａとが遊技盤ブロック６を支持するための遊技盤ブロック支持手段（図６（ａ）の支持手段Ｍ１，Ｍ２）に相当し、軸金具１１０の上側の軸受け部１１０ａと軸金具１１１の下側の軸受け部１１１ｂと払出ブロック７を支持するための払出ブロック支持手段（図６（ａ）の支持手段Ｍ３，Ｍ４）に相当する。
【００８６】
また、右枠部１０２には、図９，図１０に示すように、ドアブロック４を開放不能な施錠状態で保持するための施錠装置１２０が設けられている。なお、この施錠装置１２０については後ほど詳細に説明する。
【００８７】
下枠部１０４には、図９，図１０に示すように、前扉体１１に設けた下皿排出口７４に連通する連通口１３１が設けられるとともに、スピーカ穴７５から前方に露出するスピーカ１３２が設けられている。
【００８８】
背面枠１２の背面側には、遊技主要ブロック５の固定手段、つまり、操作キーを反時計周りに回動操作にかかわらず遊技主要ブロック５のドアブロック４への固定を維持するための後述するロック部材６２７（図３参照）が係止する鉤金具１３７が設けられている。
【００８９】
背面枠１２は、前扉体１１に対してネジ等の締結具を用いて取り付け固定される。
【００９０】
（受皿ブロック１０の説明）
次に、受皿ブロック１０について説明する。受皿ブロック１０は、図１１に示すように、順次に取打込まれる遊技球を一時的に貯留する機能を有する上皿１５１と、払出装置（後述する図１６の払出装置６０８）などから供給される遊技球を上皿１５１や下皿７１などに流通させる機能を有する球通路形成体１５２と、遊技球の取込機能を有する取込ユニット１５３（図７参照）とを備えるものである。
【００９１】
（受皿ブロック１０としての動作説明）
上記の如く構成される受皿ブロック１０において、上皿１５１に多数の遊技球が貯留されている状態では、遊技球は上皿１５１の最下流部での三列に分岐した案内通路（図示省略）で各一列に整列され、その整列状態での遊技球が取込ユニット１５３の三個の取込装置（図示省略）で並列的に取り込まれる。この取り込まれた遊技球は、所定通路で流れて外部（遊技ホールの島設備）に排出される。また、遊技球排出時（球抜き時）には、遊技球が、三個の取込装置（図示省略）の排出通路に流れて最終的に下皿７１に排出される。
【００９２】
一方、後述する図１６の払出装置６０８等から遊技球分配部材（図示省略）に遊技球が供給されると、この遊技球分配部材（図示省略）に設けられた各通路（図示省略）による振り分けによって、遊技球が上皿１５１、下皿排出通路（図示省略）、外部排出通路（図示省略）のいずれかに分配される。
【００９３】
（遊技盤ブロック６の説明）
次に、遊技盤ブロック６について図１２〜図１５を用いて説明する。図１２は遊技盤ブロック６の後方斜視図である。図１３は遊技盤ブロック６の分解斜視図である。図１４は、前面枠体５０１とリール装置５０３との斜視図である。
【００９４】
遊技盤ブロック６は、図１２，図１３に示すように、合成樹脂製の前面枠体５０１と、図柄表示装置としてのリール装置５０３と、補助演出装置としての液晶表示装置５０４と、遊技に関わる主たる各種制御を実施する主制御装置５０５と、主制御装置５０５からの指令に基づく従たる表示制御等を実施するサブ制御装置５０６とを備えている。この場合、遊技盤ブロック６は、本遊技機１の遊技内容を決定する主要部品を全て備える構成となっており、仮に遊技ホール等において機種入替を行う場合には、この遊技盤ブロック６を現機種のものから新たな機種のものに入れ替えることで機種入替を行うことができるようになっている。すなわち、遊技盤ブロック６は機種入替時などにおける交換ユニットとなっている。
【００９５】
（前面枠体５０１の説明）
図１３に示すように、前面枠体５０１は、いずれも横長の矩形状をなす上下２つの開口が設けられており、それぞれ上側表示窓５１３、下側表示窓５１４となっている。上側表示窓５１３は、液晶表示装置５０４が装着され、液晶表示装置５０４による表示画像を表示するための液晶画像表示部に相当し、下側表示窓５１４は、リール装置５０３が装着され、リール装置５０３の外周に付されたリール図柄を表示するためのリール図柄表示部に相当する。
【００９６】
図１４に示すように、前面枠体５０１は、背面視で右側に、支持金具５３３が取り付けられている。支持金具５３３には上下一対の支軸５３４ａ，５３４ｂが設けられている。支持金具５３３の支軸５３４ａ，５３４ｂは、遊技盤ブロック６をドアブロック４に回動可能に支持するための支持手段を構成するものであり、この支軸５３４ａ，５３４ｂがドアブロック４に設けられた軸金具１１０，１１１の軸受け部１１０ｂ，１１１ａの軸孔（図８等参照）に差し入れられるようになっている。なお、ドアブロック４側の軸受け部１１０ｂ，１１１ａと遊技盤ブロック６側の支軸５３４ａ，５３４ｂとが図６に示す「遊技盤ブロック６用の支持手段Ｍ１，Ｍ２」に相当する。
【００９７】
遊技盤ブロック６をドアブロック４に装着した状態を想定すると、上側表示窓５１３の周囲部分は正面視で透明パネル２２の上側部分に位置し若干下方を向くように設けられ、下側表示窓５１４の周囲部分は、正面視で同透明パネル２２の下側部分に位置し若干上方を向くようにして設けられることとなる。
【００９８】
（リール装置５０３の説明）
リール装置５０３は、金属製のケース部材５４０と、そのケース部材５４０に収容される左・中・右の３つのリール５４１，５４２，５４３とを具備している。ケース部材５４０は、その内部に３つのリール５４１〜５４３を回転可能に収容し、かつ、リール５４１〜５４３の一部を前方に現出させるものとなっている。ケース部材５４０において上面部の前側端部には、上方に折り曲げて形一成された支持固定部５４５が設けられ、下面部の前側端部には、下方に折り曲げて形成された支持固定部５４６が設けられている。これら支持固定部５４５，５４６は、リール装置５０３を前面枠体５０１の背面側に取り付けるための取付手段を構成するものである。
【００９９】
支持固定部５４５，５４６にはそれぞれ左右２カ所に孔部５４５ａ，５４６ａが設けられており、本リール装置５０３の前面枠体５０１への取り付け固定は、各孔部５４５ａ，５４６ａに挿通させたネジを前面枠体５０１のネジ穴にネジ止めさせることにより行われている。
【０１００】
各リール５４１〜５４３の構成について周知であり、ここでは詳細な図示を省略するが、その構成を簡単に説明する。各リール５４１〜５４３は、円筒状のかごを形成する円筒骨格部材と、その外周に巻回された帯状のベルトとを備えている。ベルトの外周面には、識別情報としての図柄が等間隔ごとに多数印刷されている（例えば２１図柄）。各リール５４１〜５４３の中央部には、駆動源としてのステッピングモータが設けられており、該ステッピングモータの駆動により各リール５４１〜５４３が個別に、すなわちそれぞれ独立して回転駆動される。リール装置５０３には、その他の構成として、各リール５４１〜５４３の回転位置を検出するためのリールインデックスセンサ（回転位置検出センサ）が設置されている。また、各リール５４１〜５４３の内周側には、蛍光ランプ等よりなるバックライト（後方発光手段）が設けられており、このバックライトにより、リール外周面に付された各図柄が後方より明るく照らされるようになっている。バックライトの発光によって、リール外周面に付された各図柄の視認性の向上や、遊技に際し補助的な演出の多様化を図ることができる。
【０１０１】
（主制御装置５０５等の説明）
次に、主制御装置５０５やサブ制御装置５０６等の構成を、図１３等を用いて説明する。
【０１０２】
主制御装置５０５は、ＣＰＵやメモリ等の電子部品が実装された主制御基板５６１と、この主制御基板５６１を収容するための略直方体形状のケース部材（ケース台５６２及びケースカバー５６３）と、主制御基板５６１を収容したケース部材が取り付けられる取付台５６４とから構成されている。ケース台５６２及びケースカバー５６３は透明な合成樹脂材料にて成形されており、この透明なケース台５６２及びケースカバー５６３によってその内部の主制御基板５６１が視認可能となっている。
【０１０３】
なお、ケース台５６２及びケースカバー５６３には、これら各部材を連結する封印手段としての図示しない封印部（いわゆるカシメ部）が設けられている。封印部は、破壊等を伴うことでケース部材を開封可能とするものであり、開封後には破壊などがなされた部材が開封履歴として残るため、その開封履歴によって開封事実の確認が可能となっている。これにより、仮にケース部材が不正に開封された場合などにおいては、封印部の確認によって不正行為の発見が可能となっている。
【０１０４】
サブ制御装置５０６は、ＣＰＵやメモリ等の電子部品が実装されたサブ制御基板５７１と、このサブ制御基板５７１を収容するための略直方体形状のケース部材（ケース台５７２及びケースカバー５７３）とから構成されている。ケース台５７２及びケースカバー５７３は透明な合成樹脂材料にて成形されており、この透明なケース台５７２及びケースカバー５７３によってその内部のサブ制御基板５７１が視認可能となっている。
【０１０５】
液晶表示装置５０４は、液晶パネル５８１と、この液晶パネル５８１を駆動する液晶ドライバ５８２とにより構成されている。
【０１０６】
（遊技盤ブロック６として完成状態の説明）
遊技盤ブロック６の完成状態を図１２を用いて説明する。遊技盤ブロック６としては、前面枠体５０１に、その背後からリール装置５０３が取り付けられ、同じく前面枠体５０１の背後でリール装置５０３の上方に液晶表示装置５０４が取り付けられている。また、リール装置５０３の側方に主制御装置５０５が取り付けられるとともに、同リール装置５０３の上方にサブ制御装置５０６が取り付けられている。
【０１０７】
遊技盤ブロック６において、前面枠体５０１の上側表示窓５１３からは液晶パネル５８１のパネル面全体が視認できる。また，同前面枠体５０１の下側表示窓５１４からはリール装置５０３の各リール５４１〜５４３の一部が視認できる。このとき、各リール５４１〜５４３の外周に付された多数（本実施の形態では２１個）の図柄のうち、リール毎に３つずつの図柄が下側表示窓５１４を通じて視認できるようになっている。
【０１０８】
なお、遊技盤ブロック６には、図示省略の情報表示部が備えられている。この情報表示部（図示省略）には、小役成立時における獲得球数を表示する獲得球数表示部（図示省略）と、ビッグボーナスやレギュラーボーナス等の特別遊技状態の際に例えば残りのゲーム数等を表示するゲーム数表示部（図示省略）とが設けられている。これら獲得球数表示部（図示省略）やゲーム数表示部（図示省略）は、７セグメント表示器によって構成されているが、液晶表示器等によって代替することは当然可能である。
【０１０９】
（払出ブロック７の説明）
次に、払出ブロック７について図１５，図１６を用いて説明する。図１５は払出ブロック７の斜視図、図１６は払出ブロック７の背面図である。
【０１１０】
払出ブロック７は、合成樹脂材料にて一体成形された裏カバー部材６０１と、遊技球を払い出すための払出機構６０２とが一体化されることにより構成されている。裏カバー部材６０１は、略平坦状のベース部６０３と、後方（遊技機１の後方）に突出し略直方体形状をなす保護カバー部６０４とを有する。保護カバー部６０４は左右及び上下の各面と背面とが閉鎖された形状をなし、少なくとも遊技盤ブロック６の背面側構成（主制御装置５０５とリール装置５０３とサブ制御装置５０６）を収容するのに十分な大きさを有する。なお、保護カバー部６０４の背面には、図１５，図１６に示すように、多数の通気孔が設けられている。
【０１１１】
払出機構６０２は、保護カバー部６０４を迂回するようにして裏カバー部材６０１のべース部６０３に取り付けられている。すなわち、裏カバー部材６０１の最上部には上方に開口したタンク６０５が設けられており、タンク６０５には遊技ホールの島設備から供給される遊技球が逐次補給される。タンク６０５の下方には、例えば横方向２列（２条）の球通路を有し下流側に向けて緩やかに傾斜するタンクレール６０６が連結され、タンクレール６０６の下流側には上下方向に延びるケースレール６０７が連結されている。
【０１１２】
払出装置６０８はケースレール６０７の最下流部に設けられ、受皿ブロック１０に設けた払出制御装置１５７からの制御信号により払出ソレノイド６０９が駆動されて必要個数の遊技球の払出が適宜行われる。払出装置６０８より払い出された遊技球は払出通路〈図示省略〉等を通じて上皿１５１に供給される。図示は省略するが、ケースレール６０７の上流部には、タンク６０５やタンクレール６０６から供給される遊技球の有無を検出するタンク球無しセンサが設けられている。また、払出装置６０８には、遊技球を払い出す払出ソレノイド６０９と、その払い出される遊技球数をカウントする払出カウントスイッチとが設けられている。
【０１１３】
払出機構６０２には、払出制御装置１５７から払出装置６０８への払出指令の信号を中継する払出中継基板６１１が設置されている。その他、払出機構６０２には、外部より主電源を取り込むための電源スイッチ基板（図示省略）が設置されている。
【０１１４】
払出機構６０２におけるタンクや通路部材類はいずれも導電性を有する合成樹脂材料、例えば導電性ポリカーボネート樹脂にて成形され、その一部にてアースされている。これにより、遊技球の帯電によるノイズの発生が抑制されるようになっている。
【０１１５】
裏カバー部材６０１には、図１５に示すように、背面側から見て右端部に上下一対の支軸６２１ａ，６２１ｂが設けられている。この支軸６２１ａ，６２１ｂは、払出ブロック７をドアブロック４に回動可能に支持するための支持手段を構成するものであり、この支軸６２１ａ，６２１ｂがドアブロック４に設けられた軸金具１１０，１１１の軸受け部１１０ａ，１１１ｂの軸孔（図１０等参照）に差し入れられるようになっている。なお、ドアブロック４側の軸受け部１１０ａ，１１１ｂと払出ブロック７側の支軸６２１ａ，６２１ｂとが図６に示す「払出ブロック７用の支持手段Ｍ３，Ｍ４」に相当する。
【０１１６】
また、図３に示すように、払出ブロック７の裏面視で右上隅箇所と下端中央箇所（図示省略）の箇所には、遊技主要ブロック５をドアブロック４に装着した状態で固定するための装着固定手段（ロック部材６２７）がそれぞれ設けられている。つまり、図３に示すように、遊技機本体部３が外枠２に対して片開きされた状態において、両方のロック部材６２７を解除することで、ドアブロック４の鉤金具１３７との固定が解除され、ロック部材６２７による遊技主要ブロック５のドアブロック４への固定を解除することができるので、後述するように施錠装置１２０に操作キーを挿入し、反時計周りに回動させることで、遊技主要ブロック５をドアブロック４に対して片開き状態とすることができる。つまり、予めロック部材６２７を解除し、操作キーを時計周りに回動操作して施錠装置１２０による遊技主要ブロック５のドアブロック４への施錠を解除することで、遊技主要ブロック５をドアブロック４に対して片開き状態とすることができる。
【０１１７】
なお、この片開き状態において遊技主要ブロック５を高さ方向に上げることで、遊技盤ブロック６の支軸５３４ａ，５３４ｂのドアブロック４の軸受け部１１０ｂ，１１１ａへの軸支が解除され、かつ、裏カバー部材６０１の支軸６２１ａ，６２１ｂのドアブロック４の軸受け部１１０ａ，１１１ｂへの軸支が解除され、遊技主要ブロック５がドアブロック４から取り外しできるようになっている。
【０１１８】
また、図４に示すように、遊技盤ブロック６の裏面視で左上隅と左下隅の箇所には、払出ブロック７を当該遊技盤ブロック６に装着した状態で固定するための装着固定手段（ロック部材６２５）がそれぞれ設けられている。つまり、図４に示すように、遊技主要ブロック５がドアブロック４に対して片開きされた状態において、ロック部材６２５を解除することで、払出ブロック７の鉤金具６２６との固定が解除され、払出ブロック７を遊技盤ブロック６に対して片開き状態とすることができる。
【０１１９】
なお、この片開き状態において払出ブロック７を高さ方向に上げることで、裏カバー部材６０１の支軸６２１ａ，６２１ｂのドアブロック４の軸受け部１１０ａ，１１１ｂへの軸支が解除され、払出ブロック７が遊技盤ブロック６から取り外しできるようになっている。また、払出ブロック７を遊技盤ブロック６に対して閉じた状態にしてロック部材６２５でロックする、つまりロック部材６２５を鉤金具６２６に係止させることで、払出ブロック７を遊技盤ブロック６に装着した状態で固定することができる。
【０１２０】
次に、本実施例の遊技機１のさらなる特徴部分の構成について説明する。
【０１２１】
本実施例の遊技機１は、前述したように、外枠２と、この外枠２の前面側に設けられて当該外枠２に対して開閉可能に支持される遊技機本体部３と、この遊技機本体部３の裏面側に設けられて当該遊技機本体部３に対して開閉可能に支持される遊技主要ブロック５と、遊技機本体部３および遊技主要ブロック５を閉状態に施錠する施錠装置１２０と、を備えている。
【０１２２】
施錠装置１２０は、図１，図２に示すように、操作キーが挿入される鍵穴１２５ａを備え、この鍵穴１２５ａに挿入された操作キーが第１の方向（例えば時計方向）に回動操作されることで、図３に示すように遊技機本体部３を解錠するとともに、鍵穴１２５ａに挿入された操作キーが第１の方向とは異なる第２の方向（例えば反時計方向）に回動操作されることで、図４に示すように遊技主要ブロック５を解錠するものである。
【０１２３】
ここで、施錠装置１２０の構成について、図１７〜図２０を用いてもう少し詳細に説明する。
【０１２４】
図１７（ａ）は施錠装置１２０の構成を示す斜視図であり、図１７（ｂ）は施錠装置１２０の裏面カバーを外した状態を示す斜視図である。図１８（ａ）は施錠装置１２０を後方右側から見た状態を示す斜視図であり、図１８（ｂ）は施錠装置１２０を前方左側から見た状態を示す斜視図であり、図１８（ｃ）は施錠装置１２０を前方右側から見た状態を示す斜視図であり、図１８（ｄ）は施錠装置１２０を後方左側から見た状態を示す斜視図である。図１９（ａ）は操作キー未挿入状態での施錠装置１２０を後方左側から見た状態を示す斜視図であり、図１９（ｂ）は操作キーを時計回りに回動させた状態での施錠装置１２０を後方左側から見た状態を示す斜視図であり、図１８（ｃ）は操作キーを反時計回りに回動させた状態での施錠装置１２０を後方左側から見た状態を示す斜視図である。図２０（ａ）は施錠装置１２０の固定機構１２８がアンロック状態である場合における要部側面図であり、図２０（ｂ）はその図２０（ａ）の要部斜視図であり、図２０（ｃ）は施錠装置１２０の固定機構１２８がロック状態である場合における要部側面図であり、図２０（ｄ）はその図２０（ｃ）の要部斜視図である。
【０１２５】
具体的には、施錠装置１２０は、図１７に示すように、基枠１２１と第１連動杆１２２と鉤金具１２３と第２連動杆１２４とキーシリンダ錠１２５とを備えている。以下にこれらの各構成について説明する。
【０１２６】
すなわち、図１０に示すように、背面枠１２の右枠部１０２の背面側には、上下方向に延びる長尺状（長手形状）で、かつ、断面視が略Ｌ字状の金属製の基枠１２１が固定されている。この基枠１２１には、図１７に示すように、裏面視した状態でその突出壁１２１ａの左側面箇所に、当該基枠１２１に対して上下方向に移動可能に組み付けられた長尺状（長手形状）の金属製の第１連動杆１２２が設けられている。
【０１２７】
図１０，図１７に示すように、第１連動杆１２２には、鉤形状をなす上下一対の鉤金具１２３が設けられている。具体的には、鉤金具１２３は、その中間部分が基枠１２１側に軸支されており、第１連動杆１２２が上方に移動することでその先端鉤部が下方に移動する構成となっている。
【０１２８】
また、基枠１２１には、図１８（ａ），図１８（ｂ）に示すように、裏面視した状態でその突出壁１２１ａの右側面箇所に、当該基枠１２１に対して上下方向に移動可能に組み付けられた長尺状（長手形状）の金属製の第２連動杆１２４が設けられている。図１８（ｂ）に示すように、第２連動杆１２４の上下２箇所には鉤金具１２４ａが設けられている。この鉤金具１２４ａは、図１５に示す払出ブロック７を遊技盤ブロック６と対向する側を見た状態でその右端上下２箇所の係止部６１２に係止させるためのものである。
【０１２９】
また、図１７（ｂ）に示すように、第１連動杆１２２は、その中央やや下側箇所に、第１コイルバネ１２２ｂの一端を係止する係止突起１２２ｃを備えている。第２連動杆１２４は、第１連動杆１２２の係止突起１２２ｃよりも下方位置に、第１コイルバネ１２２ｂの他端を係止する係止突起１２４ｅを備えている。つまり、この第１連動杆１２２が下方に第１コイルバネ１２２ｂのバネ力でもって付勢され、かつ、第２連動杆１２４が上方に第１コイルバネ１２２ｂのバネ力でもって付勢されるようになっている。すなわち、第１連動杆１２２と第２連動杆１２４とは第１コイルバネ１２２ｂによって互いに引き付けられている。
【０１３０】
また、第１連動杆１２２は、その上部箇所に、第１コイルバネ１２２ｂで下方に付勢された状態で基枠１２１の規制突起部１２１ｃに当たる突出部１２２ｄを備え、この突出部１２２ｄが基枠１２１の規制突起部１２１ｃに当たることで第１連動杆１２２がそれ以上下方に移動しないように位置規制されている。また、第２連動杆１２４は、その上部、中部、下部の３箇所に、第１コイルバネ１２２ｂで上方に付勢された状態で基枠１２１の規制突起部１２２ｇに内周の一部が当たる長孔１２４ｃを備え、この長孔１２４ｃが基枠１２１の規制突起部１２２ｇに当たることで第２連動杆１２４がそれ以上上方に移動しないように位置規制されている。
【０１３１】
図１７に示すように、基枠１２１には、操作キー〈鍵〉が挿入されて所定方向に回動操作されることで施錠・解錠操作がされるキーシリンダ錠１２５が設けられている。このキーシリンダ錠１２５は前後方向に延びる向きで設けられており、図１に示すように、前扉体１１に背面枠１２を組み付けた際にはシリンダ前面（キー挿入孔の設置側）が前扉体１１に設けたキーシリンダ設置穴６２から露出することとなる。
【０１３２】
図１７（ａ）に示すように、このキーシリンダ錠１２５の裏面側（外枠２側）には、当該裏面側などを覆う裏面カバー１２６が設けられている。図１７（ｂ）に示すように、裏面カバー１２６を外した状態とすることでわかるように、キーシリンダ錠１２５の裏面側には、操作キーの回動操作に連動して回動する回動部材１２７が設けられている。この回動部材１２７は、第１連動杆１２２の係止孔１２２ａに先端部分が挿入された第１突起部１２７ａと、第１連動杆１２２の開口部１２２ｃに挿入されて第２連動杆１２４の切欠部１２４ｂに位置する第２突起部１２７ｂとを備えている。
【０１３３】
キーシリンダ錠１２５に操作キーを差し込んだ状態で、図１９（ｂ）に示すように、当該操作キーを時計回り方向に回動操作すると、回動部材１２７も操作キーと連動して時計回り方向に回動（図１９（ｂ）の裏面視では反時計回り方向に回動）する。つまり、第１連動杆１２２の係止孔１２２ａに挿入された第１突起部１２７ａが時計回り方向に回動（図１９（ｂ）の裏面視では反時計回り方向に回動）することで、この第１連動杆１２２が上方に押し上げられる（ドアブロック４の背面視でキーシリンダ錠１２５の回転部分が反時計回り方向に回るため）。これにより、第１連動杆１２２の鉤金具１２３の先端鉤部が下方に移動し、外枠２に対してドアブロック４が閉じている場合に、鉤金具１２３と外枠２側の鉤受け部２ａ（図３参照）との係止状態（すなわち施錠状態）が解除される。そして、外枠２に対してドアブロック４が開放可能となる。
【０１３４】
また、上記とは逆に、キーシリンダ錠１２５に操作キーを差し込んだ状態で、図１９（ｃ）に示すように、当該操作キーを反時計回り方向に回動操作すると、回動部材１２７も操作キーと連動して反時計回り方向に回動（図１９（ｃ）の裏面視では時計回り方向に回動）する。つまり、第１連動杆１２２の開口部１２２ｃに挿入された第２突起部１２７ｂが反時計回り方向に回動（図１９（ｃ）の裏面視では時計回り方向に回動）することで、この第２連動杆１２４が下方に押し下げられる（ドアブロック４の背面視でキーシリンダ錠１２５の回転部分が反時計回り方向に回るため）。これにより、第２連動杆１２４の鉤金具１２４ａが下方に移動し、ドアブロック４に対して遊技主要ブロック５が閉じている場合に、鉤金具１２４ａと払出ブロック７の係止部６１２（図１５参照）との係止状態（すなわち施錠状態）が解除される。そして、ドアブロック４に対して遊技主要ブロック５が開放可能となる。
【０１３５】
また、図１７（ａ）に示すように、基枠１２１は、その上部と中央部とに、第１連動杆１２２の上下動に連動して回動するクッション部材１３８をそれぞれ備えている。このクッション部材１３８は、遊技機本体部３を誤った状態（例えば、操作キーを右回しした状態とせずに閉めようとする場合）で閉鎖する時に当該遊技機本体部３を保護するためのものである。図１９（ｂ）に示すように、操作キーを右回しした状態では、クッション部材１３８は、第１連動杆１２２の上方への移動に連動して回動して基枠１２１内に収まっており、遊技機本体部３を閉じる際に外枠２と当たることがない。また、操作キーを中立の状態（図１９（ａ）参照）や左回しした状態（図１９（ｃ）参照）では、クッション部材１３８は、第１連動杆１２２が下がったままであり、基枠１２１から一部が出た状態となっており、このままで遊技機本体部３を閉じるとクッション部材１３８が外枠２に当たる。
【０１３６】
さらに、この遊技機１は、図２０に示すように、遊技機本体部３の施錠装置１２０の鍵穴１２５ａに挿入された操作キーが時計方向に回動操作されて所定の回動位置に達するとその回動位置で反時計方向には回動不能となるように当該操作キーを固定する固定機構１２８を備えている。
【０１３７】
つまり、遊技機本体部３は、外枠２に係止する鉤部材１２３を備えており、施錠装置１２０は、鍵穴１２５ａに挿入された操作キーが時計方向に回動操作されることで、鉤部材１２３を外枠２への係止が解除された開位置に変位し、遊技機本体部３を解錠するものであり、固定機構１２８は、操作キーを回動位置に固定した状態において鉤部材１２３を開位置で固定している。
【０１３８】
具体的には、固定機構１２８は、図１７，図２０に示すように、基枠１２１に対して回動自在に支持された回動金具１２８ａと、第２コイルバネ１２８ｂと、回動金具１２８ａの所定箇所に設けられた、第２コイルバネ１２８ｂの一端を係止する係止突起１２８ｃと、この第２コイルバネ１２８ｂの他端を係止する、基枠１２１に設けられた係止突起１２１ｂと、回動金具１２８ａの所定箇所に設けられた、第１連動杆１２２が上方位置で固定するための係止片１２８ｄと、第１連動杆１２２の所定箇所に設けられた、係止片１２８ｄが嵌まり込み得る窪み部１２８ｅとを備えている。
【０１３９】
また、図１７，図２０に示すように、基枠１２１は、その所定箇所に、回動金具１２８ａの回動を許可／不許可に切換可能な切換レバー１２９を備えている。図２０（ａ）に示すように、切換レバー１２９が垂直姿勢の場合には、回動金具１２８ａが回動しようとしてもこの回動金具１２８ａの上辺箇所が切換レバー１２９に当たり、回動金具１２８ａの回動ができない状態となっている。図２０（ｂ）に示すように、切換レバー１２９が傾斜姿勢の場合には、回動金具１２８ａが回動しようとしてもこの回動金具１２８ａの上辺箇所が切換レバー１２９に当たらず、回動金具１２８ａの回動ができる状態となっている。
【０１４０】
キーシリンダ錠１２５に操作キーを差し込んだ状態で、図１９（ｂ）に示すように、当該操作キーを時計回り方向に回動操作すると、第１連動杆１２２が上方に押し上げられ、第１連動杆１２２の窪み部１２８ｅが回動金具１２８ａの係止片１２８ｄの箇所まで近づいてくる。このとき、切換レバー１２９が図２０（ａ）に示すように不許可状態（垂直姿勢）であれば、回動金具１２８ａは切換レバー１２９に当たって回動できないが、切換レバー１２９が図２０（ｃ）に示すように許可状態（傾斜姿勢）であれば、回動金具１２８ａは切換レバー１２９に当たらず、回動金具１２８ａが基枠１２１の係止突起１２１ｂの方へ第２コイルバネ１２８ｂで付勢されている関係上、第１連動杆１２２の窪み部１２８ｅが回動金具１２８ａの係止片１２８ｄの箇所に位置すると、係止片１２８ｄが窪み部１２８ｅに嵌まり込むように回動金具１２８ａが回動し、第２コイルバネ１２８ｂの付勢力でその状態が維持される。つまり、第１連動杆１２２が上方に上がったままで維持されていることから、操作キーが時計回り方向に回した回動位置で固定された格好となっている。
【０１４１】
さらに、この遊技機１は、遊技機本体部３の前面側に施錠装置１２０の鍵穴１２５ａが設けられており、遊技機本体部３の裏面側には、固定機構１２８による操作キーの回動固定を解除する固定解除機構１３０が設けられている。
【０１４２】
この固定解除機構１３０は、回動金具１２８ａに設けられた操作片１２８ｆが遊技場関係者（ホール員）などによって操作されることで、第１連動杆１２２の窪み部１２８ｅへの回動金具１２８ａの係止片１２８ｄの嵌まり込みを解除する機構である。つまり、図２０（ｃ）の状態において、回動金具１２８ａの操作片１２８ｆが矢印方向に押下されると、第１連動杆１２２の窪み部１２８ｅへの回動金具１２８ａの係止片１２８ｄの嵌まり込みが解除されるやいなや第１連動杆１２２が下方に押し下がるとともに、操作キーの回動位置固定が解除されて、操作キー挿抜可能状態（垂直姿勢状態）に戻る。
【０１４３】
つまり、固定解除機構１３０は、固定機構１２８による操作キーの回動固定を解除すると、操作キーを鍵穴１２５ａに対して挿抜可能な中立位置に自動的に戻す自動復帰機構１３０ａ（第１コイルバネ１２２ｂの付勢力で第１連動杆１２２が下方に戻ることによってキーシリンダ錠１２５に挿入された操作キーを垂直姿勢状態に戻す構成）となっている。
【０１４４】
また、固定解除機構１３０は、固定機構１２８による操作キーの回動固定状態のままでドアブロック４を外枠２に閉じる際に、ドアブロック４の所定箇所が外枠２の対応する箇所に接触することで自動復帰機構１３０ａが動作して、固定機構１２８による操作キーの回動固定が自動的に解除されるとともに、自動復帰機構１３０ａによる操作キーの中立位置への自動復帰に連動して鉤部材１２３が閉位置に変位して施錠装置１２０によるドアブロック４の施錠がされるようになっている。
【０１４５】
ここで、固定機構１２８による操作キーの回動固定状態のままでドアブロック４を閉じる場合について図２１を用いて説明する。図２１（ａ）〜（ｃ）は、操作キーの回動固定状態のままでドアブロック４を閉じる場合での自動復帰機構１３０ａの動作を説明するための図である。
【０１４６】
図２１（ａ）に示すように、固定機構１２８による操作キーの回動固定状態、つまり、操作キーを時計回り方向に回動操作することで第１連動杆１２２が基枠１２１に対して上方に押し上げられて、第１連動杆１２２の窪み部１２８ｅに回動金具１２８ａの係止片１２８ｄが嵌まり込んで第２コイルバネ１２８ｂの付勢力でその状態が維持され、この第１連動杆１２２が上方位置で固定された状態のままで、ドアブロック４を外枠２に閉じようとしている。すなわち、ドアブロック４を外枠２に閉じようとしているため、ドアブロック４の裏面側の鉤部材１２３などが、外枠２の鉤受け部２ａの方に近づいていく（図２１（ａ）に二点鎖線矢印で示す方向に移動する）。
【０１４７】
そして、図２１（ｂ）に示すように、鉤受け部２ａが固定解除機構１３０の操作片１２８ｆの先端側に接触し、この操作片１２８ｆがそれ以上に押し込まれる（図２１（ｂ）に破線矢印で示す方向に押される）と、回動金具１２８ａの係止片１２８ｄが第１連動杆１２２の窪み部１２８ｅから外れるやいなや、第１コイルバネ１２２ｂの付勢力によって第１連動杆１２２が基枠１２１に対して下方に押し下げられる（図２１（ｂ）に二点鎖線矢印で示す方向に下がり）ことで鉤部材１２３の先端側が上がるように回動する（図２１（ｂ）に一点鎖線矢印で示す方向に回動する）。
【０１４８】
図２１（ｃ）に示すように、回動金具１２８ａの係止片１２８ｄが第１連動杆１２２の窪み部１２８ｅから外れているので、固定機構１２８による操作キーの回動固定が解除されているし、鉤部材１２３が鉤受け部２ａに係止されているので、施錠装置１２０によるドアブロック４の施錠もされている。
【０１４９】
つまり、ドアブロック４の所定箇所である鉤部材１２３の先端側が外枠２の対応する箇所である鉤受け部２ａに接触して押されることで、自動復帰機構１３０ａが動作して、固定機構１２８による操作キーの回動固定が自動的に解除されるとともに、自動復帰機構１３０ａによる操作キーの中立位置への自動復帰に連動して鉤部材１２３が閉位置に変位して施錠装置１２０によるドアブロック４の施錠がされるようになっている。
【０１５０】
また、遊技主要ブロック５は、遊技機本体部３が解錠されて開放された状態において、鍵穴１２５ａに挿入された操作キーが反時計方向に回動操作されることで解錠されて開放可能となる。遊技主要ブロック５は、遊技者の利益に関する制御を担う主制御装置５０５と、この主制御装置５０５を少なくとも覆う払出ブロック７とを備えている。払出ブロック７は、遊技主要ブロック５が解錠されて開放された状態で主制御装置５０５の覆いを解除可能となっている。
【０１５１】
なお、上述した外枠２は本発明の本体枠に相当し、上述したドアブロック４は本発明の前面扉部材に相当し、上述した遊技盤ブロック６は本発明の裏面側部材に相当し、上述した主制御装置５０５は本発明の制御手段に相当し、上述した裏カバー部材６０１は本発明のカバー部材に相当する。
【０１５２】
次に、本実施例の遊技機１のさらなる特徴部分の構成について、図２２〜図２８を用いて説明する。
【０１５３】
図２２は遊技盤ブロック６の背面側に液晶表示装置５０４を取り付ける様子を示す後方斜視図である。図２３は前面枠体５０１の背面側に液晶表示装置５０４を取り付ける様子を示す前方斜視図である。図２４（ａ）は操作レバー６４１が解除位置にある前面枠体５０１の上半分を示す前方斜視図であり、図２４（ｂ）は操作レバー６４１が固定位置にある前面枠体５０１の上半分を示す前方斜視図である。図２５は操作レバー６４１を固定位置から解除位置にする際の前面枠体５０１の上半分を示す前方斜視図である。図２６は前面枠体５０１の操作レバー６４１の箇所の拡大斜視図である。図２７はドアブロック４に対して閉じた状態の遊技主要ブロック５での液晶表示装置５０４部分の断面図である。図２８は遊技盤ブロック６の前面枠体５０１の背面側に液晶表示装置５０４を固定した状態での当該液晶表示装置５０４部分の断面図である。
【０１５４】
遊技盤ブロック６は、図１２，図２２に示すように、その背面側（裏面側）で下から順に、遊技者に大当たりの有無を知らせるための各種の図柄が表示されたリール５４１〜５４３を回動・停止するリール装置５０３と、このリール５４１〜５４３の回動などと連動して遊技表示演出を表示する液晶表示装置５０４とが取り付けられ、かつ、図１３に示すように、その前面側から液晶表示装置５０４の表示画面とリール装置５０３のリール５４１〜５４３の部分とが視認可能となっており、図２２，図２３に示すように、裏面視でその周縁部分のうちで少なくとも液晶表示装置５０４の周囲での所定箇所が裏面側の方に延出した延出縁６３０を備えている。
【０１５５】
具体的には、実施例１での遊技盤ブロック６の前面枠体５０１は、図１２，図２２に示すように、裏面視でその周縁部分でのほぼ全箇所に、裏面側の方に延出した延出縁６３０を備えている。
【０１５６】
また、液晶表示装置５０４は、図２２，図２３，図２７，図２８に示すように、遊技盤ブロック６の前面枠体５０１の取付位置に位置させた状態で、操作者により操作を受ける操作レバー６４１を解除位置（図２４（ａ）に示す状態）から固定位置（図２４（ｂ）に示す状態）にスライド操作することでこの前面枠体５０１に固定する固定部材６４５を備えている。
【０１５７】
具体的には、この固定部材６４５は、操作者によって解除位置（図２４（ａ）に示す状態）から固定位置（図２４（ｂ）に示す状態）にスライド操作される操作レバー６４１と、前面枠体５０１の背面側の上部箇所で横幅方向に間隔を空けて、かつ、開口を互いの方に向けるようにして設けられた挿入受け部６４３とで構成されている。
【０１５８】
前面枠体５０１は、図２２，図２７，図２８に示すように、液晶表示装置５０４が取り付けられる取付位置の所定箇所に、液晶表示装置５０４の底面を受ける底受け部６４７を備えている。
【０１５９】
底受け部６４７は、図２７，図２８に示すように、液晶表示装置５０４が載置された状態でこの液晶表示装置５０４が前面枠体５０１の方にもたれかかるような傾斜面となっている。
【０１６０】
また、液晶表示装置５０４は、図２２，図２３，図２７，図２８に示すように、その底面箇所に挿入突起部６４９を備えている。前面枠体５０１の底受け部６４７は、図２２，図２３，図２７，図２８に示すように、液晶表示装置５０４の挿入突起部６４９が挿入される挿入穴６５１を備えている。
【０１６１】
また、前面枠体５０１は、図２３，図２４に示すように、液晶表示装置５０４をこの前面枠体５０１の取付位置に位置させた状態で操作レバー６４１の対応する延出縁６３０での箇所に、操作レバー６４１を操作するための開口部６５３を備えている。
【０１６２】
ドアブロック４は、図３，図４，図２８に示すように、遊技盤ブロック６を閉じた状態で当該遊技盤ブロック６の開口部６５３を覆うリブ６５５を備えている。
【０１６３】
前面枠体５０１の延出縁６３０は、図２２〜図２８に示すように、前面枠体５０１の前面側に近い第１延出縁６３１と、この第１延出縁６３１から前面枠体５０１の裏面側に向けて一段上る上り段差延出縁６３３とを有する二段構造となっている。
【０１６４】
開口部６５３は、図２３〜図２８に示すように、第１延出縁６３１の所定箇所、つまり、図２３に示すように液晶表示装置５０４を前面枠体５０１の取付位置に位置させた状態で操作レバー６４１の対応する箇所に設けられている。
【０１６５】
ドアブロック４は、図２７に示すように、遊技盤ブロック６の側に、前記の二段構造の延出縁６３０（第１延出縁６３１と上り段差延出縁６３３とからなる）と当接する段差内周部６５７を備えている。
【０１６６】
なお、上述した液晶表示装置５０４は本発明の画像表示装置に相当し、上述した固定部材６４５は本発明の固定手段に相当し、上述したリブ６５５は本発明の被覆部に相当する。
【０１６７】
上述したように、本実施例の遊技機１によれば、遊技盤ブロック６は、その裏面側に、遊技表示演出を表示する液晶表示装置５０４が取り付けられ、かつ、その前面側から液晶表示装置５０４の表示画面が視認可能となっており、裏面視でその周縁部分のうちで少なくとも液晶表示装置５０４の周囲での所定箇所が裏面側の方に延出した延出縁６３０を備え、液晶表示装置５０４は、遊技盤ブロック６の取付位置に位置させた状態で、操作者により操作を受ける操作レバー６４１を解除位置から固定位置に操作することでこの遊技盤ブロック６に固定する固定部材６４５を備え、遊技盤ブロック６は、液晶表示装置５０４をこの遊技盤ブロック６の取付位置に位置させた状態で操作レバー６４１の対応する延出縁６３０での箇所に、操作レバー６４１を操作するための開口部６５３を備え、ドアブロック４は、遊技盤ブロック６を閉じた状態で当該遊技盤ブロック６の開口部６５３を覆うリブ６５５を備えている。したがって、遊技盤ブロック６の延出縁６３０の所定箇所には、液晶表示装置５０４を固定する固定部材６４５の操作レバー６４１を操作するための開口部６５３を備えており、遊技盤ブロック６をドアブロック４から開いた状態では、操作者が延出縁６３０の開口部６５３を介して固定部材６４５の操作レバー６４１を操作することができ、大型の液晶表示装置５０４を搭載する場合でもこの液晶表示装置５０４の着脱を容易に行うことができる。また、このような開口部６５３を遊技盤ブロック６に形成しても、遊技盤ブロック６をドアブロック４に閉じた状態にした場合には、ドアブロック４のリブ６５５で遊技盤ブロック６の延出縁６３０の開口部６５３が覆われているので、延出縁６３０の開口部６５３を露出させない状態とすることができ、この開口部６５３を不正に利用する不正行為を低減できる。その結果、遊技盤ブロック６の奥位置への液晶表示装置５０４の着脱作業が容易で、かつ、不正行為を低減できる遊技機を提供することができる。
【０１６８】
また、遊技盤ブロック６は、液晶表示装置５０４が取り付けられる取付位置の所定箇所に、液晶表示装置５０４の底面を受ける底受け部６４７を備えているので、液晶表示装置５０４を遊技盤ブロック６の底受け部６４７に預けた状態とすることができ、この預けた状態で操作レバー６４１を操作すればよく、取付者が液晶表示装置５０４を持ち上げた状態で維持する必要がなく、液晶表示装置５０４の取り付け作業の負担を低減できる。また、液晶表示装置５０４の取り外しの際も、操作レバー６４１を解除位置に操作するだけでよく、液晶表示装置５０４を落下させないように持ち上げておく必要がないので、液晶表示装置５０４の取り外し作業の負担も低減できる。
【０１６９】
また、底受け部６４７は、液晶表示装置５０４が載置された状態でこの液晶表示装置５０４が遊技盤ブロック６の方にもたれかかるような傾斜面となっている。つまり、液晶表示装置５０４を遊技盤ブロック６の底受け部６４７に預けた状態とすることで、この液晶表示装置５０４が遊技盤ブロック６の方にもたれかかった傾斜姿勢となっており、液晶表示装置５０４を支える必要がなく、手放しした状態で操作レバー６４１を操作することができ、液晶表示装置５０４の取り付け作業性に優れる。また、液晶表示装置５０４の取り外しの際も、操作レバー６４１を解除位置に操作しても、液晶表示装置５０４が落下することなく遊技盤ブロック６の方にもたれかかっているので、液晶表示装置５０４を支える必要がなく、手放しした状態で操作レバー６４１を操作することができ、液晶表示装置５０４の取り外し作業性にも優れる。
【０１７０】
また、液晶表示装置５０４の底面箇所の挿入突起部６４９が、遊技盤ブロック６の底受け部６４７の挿入穴６５１に挿入されるので、液晶表示装置５０４の底面が遊技盤ブロック６の底受け部６４７からずれていくようなことがなく、安全性に優れる。
【０１７１】
また、前面枠体５０１の延出縁６３０は、前面枠体５０１の前面側に近い第１延出縁６３１と、この第１延出縁６３１から前面枠体５０１の裏面側に向けて一段上る上り段差延出縁６３３とを有する二段構造となっており、開口部６５３は、第１延出縁６３１の所定箇所（まり、図２３に示すように液晶表示装置５０４を前面枠体５０１の取付位置に位置させた状態で操作レバー６４１の対応する箇所）に設けられており、ドアブロック４は、遊技盤ブロック６の側に、前記の二段構造の延出縁６３０（第１延出縁６３１と上り段差延出縁６３３とからなる）と当接する段差内周部６５７を備えているので、ドアブロック４に遊技盤ブロック６を閉じた状態では、第１延出縁６３１がさらにアクセスし難くなっており、不正行為を低減できる。
【０１７２】
また、ドアブロック４および遊技盤ブロック６を閉状態に施錠する施錠装置１２０を備え、この施錠装置１２０は、鍵が挿入される鍵穴１２５ａを備え、この鍵穴１２５ａに挿入された鍵が第１の方向（実施例１では時計回り方向）に回動操作されることでドアブロック４を解錠するとともに、鍵穴１２５ａに挿入された鍵が第１の方向とは異なる第２の方向（実施例１では反時計回り方向）に回動操作されることで遊技盤ブロック６を解錠するものであるので、施錠装置１２０の鍵穴１２５ａに鍵を挿入して第２の方向に回動操作しなければ、遊技盤ブロック６を開いた状態にできないので、遊技盤ブロック６の不正開放を低減できる。また、遊技盤ブロック６が閉じた状態のままでは、遊技盤ブロック６の延出縁６３０の開口部６５３が露出しない状態であり、この開口部６５３を不正に利用する不正行為を低減できる。
【０１７３】
また、遊技盤ブロック６は、その裏面側に、遊技に関する所定の制御を行う主制御装置５０５を備え、遊技盤ブロック６は、その裏面側を覆う裏カバー部材６０１を備えている。つまり、裏カバー部材６０１を開放しないと、遊技盤ブロック６の裏面側は露出しないようにされているので、裏カバー部材６０１の裏面側に対する不正行為を低減できる。また、この裏カバー部材６０１によって、主制御装置５０５も覆われており、裏カバー部材６０１を開放しないと、主制御装置５０５は露出しないようにされているので、主制御装置５０５に対する不正行為を低減できる。
【０１７４】
また、外枠２と、この外枠２の前面側に設けられて当該外枠２に対して開閉可能に支持される遊技機本体部３と、この遊技機本体部３の裏面側に設けられて当該遊技機本体部３に対して開閉可能に支持される遊技主要ブロック５と、遊技機本体部３および遊技主要ブロック５を閉状態に施錠する施錠装置１２０と、を備え、施錠装置１２０は、操作キーが挿入される鍵穴１２５ａを備え、この鍵穴１２５ａに挿入された操作キーが第１の方向（時計方向）に回動操作されることで遊技機本体部３を解錠するとともに、鍵穴１２５ａに挿入された操作キーが第１の方向とは異なる第２の方向（反時計方向）に回動操作されることで遊技主要ブロック５を解錠するものであり、遊技機本体部３の施錠装置１２０の鍵穴１２５ａに挿入された操作キーが時計方向に回動操作されて所定の回動位置に達するとその回動位置で反時計方向には回動不能となるように当該操作キーを固定する固定機構１２８を備えている。
【０１７５】
したがって、遊技機内部のトラブル等の処理や遊技機内部の点検（確認）等の場合には、遊技場関係者（ホール員）は、操作キーを施錠装置１２０の鍵穴１２５ａに挿入してその操作キーを時計方向に操作して遊技機本体部３を解錠し、遊技機本体部３を開放した状態で遊技機の内部を点検することになるが、この遊技機本体部３の解錠状態では、固定機構１２８により操作キーが時計方向の回動位置で固定されており、操作キーを反時計方向に回動できないようになっているので、仮に不正行為者が遊技場関係者に知られないように操作キーを反時計方向に回動操作しようとしてもその回動操作ができず、不正に遊技主要ブロック５が解錠されることを防止できる。よって、遊技場関係者の知らないうちに不正行為者によって解錠された遊技主要ブロック５を開放して不正行為が行われるという問題も防止できる。
【０１７６】
その結果、遊技機本体部３（一の扉部材）の開放状態において遊技主要ブロック５（他の扉部材）の開放操作を防止することができる遊技機を提供することができる。
【０１７７】
また、施錠装置１２０の鍵穴１２５ａは遊技機本体部３の前面側に設けられており、遊技機本体部３の裏面側には、固定機構１２８による操作キーの回動固定を解除する固定解除機構１３０が設けられているので、つまり、開放状態の遊技機本体部３での遊技場関係者が存する側には、固定機構１２８による操作キーの回動固定を解除する固定解除機構１３０が設けられているので、他の者（不正行為者など）が固定解除機構１３０を操作しようとしても当該操作作業を遊技場関係者に見られてしまい、遊技場関係者に知られずに操作することを困難にできる。
【０１７８】
また、遊技機本体部３は、外枠２に係止する鉤部材１２３を備えており、施錠装置１２０は、鍵穴１２５ａに挿入された操作キーが時計方向に回動操作されることで、鉤部材１２３を外枠２への係止が解除された開位置に変位し、遊技機本体部３を解錠するものであり、固定機構１２８は、操作キーを回動位置に固定した状態において鉤部材１２３を開位置に固定しているので、遊技関係者は、開位置で固定された鉤部材１２３を見ることで、操作キーが固定状態であることを認識できる。また、遊技機本体部３を閉状態にする際に、固定解除機構１３０を操作することを気付かせることもできる。
【０１７９】
また、固定解除機構１３０は、固定機構１２８による操作キーの回動固定を解除すると、操作キーを鍵穴１２５ａに対して挿抜可能な中立位置に自動的に戻す自動復帰機構１３０ａを備えているので、遊技関係者は、中立位置に戻された操作キーを見ることで、操作キーの回動固定が解除されていることを認識できる。
【０１８０】
また、遊技主要ブロック５は、遊技機本体部３が解錠されて開放された状態において、鍵穴１２５ａに挿入された操作キーが反時計方向に回動操作されることで解錠されて開放可能となり、遊技主要ブロック５は、遊技者の利益に関する制御を担う主制御装置５０５と、この主制御装置５０５を少なくとも覆う払出ブロック７とを備え、払出ブロック７は、遊技主要ブロック５が解錠されて開放された状態で主制御装置５０５の覆いを解除可能となっているので、遊技機本体部３の前面側の鍵穴１２５ａに操作キーを挿入してこの操作キーを時計方向に回動して、遊技機本体部３を解錠して開放し、そして、鍵穴１２５ａに挿入された操作キーを今度は反時計方向に回動操作して遊技主要ブロック５を解錠して開放し、さらに払出ブロック７による主制御装置５０５の覆いを解除しなければ、主制御装置５０５にアクセスできないので、これらの操作に手間がかかり、主制御装置５０５に対する不正行為を抑止することができる。
【０１８１】
また、固定機構１２８は、図４に示すように、ドアブロック４の裏面視で左端高さ方向に沿った長尺状（長手形状）の基枠１２１に対して、この基枠１２１と同様に長尺状（長手形状）の第１連動杆１２２が長手方向に沿って上下動する構成であり、基枠１２１に対して第１連動杆１２２を上方向に動かした位置で固定することで、操作キーを回動位置に固定する構成をとっているので、剛性があり、強固な固定手段を実現できる。
【０１８２】
この発明は、上記実施形態に限られることはなく、下記のように変形実施することができる。
【０１８３】
（１）上述した実施例では、液晶表示装置５０４は、その底面箇所に挿入突起部６４９を備え、前面枠体５０１の底受け部６４７は、液晶表示装置５０４の挿入突起部６４９が挿入される挿入穴６５１を備えているが、液晶表示装置５０４は、その底面箇所に挿入穴６５１を備え、前面枠体５０１の底受け部６４７は、液晶表示装置５０４の挿入穴６５１に挿入される挿入突起部６４９を備えるようにしてもよい。
【０１８４】
（２）上述した実施例では、液晶表示装置５０４を遊技盤ブロック６に固定する固定部材６４５の操作レバー６４１を操作するための開口部６５３をこの遊技盤ブロック６に形成し、遊技盤ブロック６を閉じた状態で開口部６５３を覆うリブ６５５をドアブロック４に設けた構成を例に挙げて説明しているが、リール装置５０３を遊技盤ブロック６に固定する固定部材６４５の操作レバー６４１を操作するための開口部６５３をこの遊技盤ブロック６に形成し、遊技盤ブロック６を閉じた状態で開口部６５３を覆うリブ６５５をドアブロック４に設けた構成としてもよい。
【０１８５】
（３）上述した実施例では、操作キーを時計方向に回動操作することで遊技機本体部３を解錠し、操作キーを反時計方向に回動操作することで遊技主要ブロック５を解錠しているが、反時計方向に回動操作することで遊技機本体部３を解錠し、時計方向に回動操作することで遊技主要ブロック５を解錠してもよい。
【０１８６】
（４）上述した実施例では、クッション部材１３８を採用しているが、クッション部材１３８を削除した遊技機としてもよい。
【０１８７】
（５）上述した実施例では、遊技球使用の回胴遊技機を例に挙げて説明してきたが、パチンコ機やスロットマシンやこれらを融合させた遊技機などに適用可能である。
【産業上の利用可能性】
【０１８８】
以上のように、この発明は、遊技球を使用するパチンコ機、メダルを使用するスロットマシン及び遊技球使用の回胴遊技機などの各種の遊技機に適している。
【符号の説明】
【０１８９】
１  …  遊技機
２  …  外枠（本体枠）
４  …  ドアブロック（前面扉部材）
６  …  遊技盤ブロック（裏面側部材）
１２０  …  施錠装置
５０４  …  液晶表示装置（画像表示装置）
５０５  …  主制御装置（制御手段）
６０１  …  裏カバー部材（カバー部材）
６３０  …  延出縁
６３１  …  第１延出縁
６３３  …  上り段差延出縁
６４１  …  操作レバー（操作部）
６４５  …  固定部材（固定手段）
６４７  …  底受け部
６４９  …  挿入突起部
６５１  …  挿入穴
６５３  …  開口部
６５５  …  リブ（被覆部）
６５７  …  段差内周部
【図１】
0005533971.tif 000002
【図２】
0005533971.tif 000003
【図３】
0005533971.tif 000004
【図４】
0005533971.tif 000005
【図５】
0005533971.tif 000006
【図６】
0005533971.tif 000007
【図７】
0005533971.tif 000008
【図８】
0005533971.tif 000009
【図９】
0005533971.tif 000010
【図１０】
0005533971.tif 000011
【図１１】
0005533971.tif 000012
【図１２】
0005533971.tif 000013
【図１３】
0005533971.tif 000014
【図１４】
0005533971.tif 000015
【図１５】
0005533971.tif 000016
【図１６】
0005533971.tif 000017
【図１７】
0005533971.tif 000018
【図１８】
0005533971.tif 000019
【図１９】
0005533971.tif 000020
【図２０】
0005533971.tif 000021
【図２１】
0005533971.tif 000022
【図２２】
0005533971.tif 000023
【図２３】
0005533971.tif 000024
【図２４】
0005533971.tif 000025
【図２５】
0005533971.tif 000026
【図２６】
0005533971.tif 000027
【図２７】
0005533971.tif 000028
【図２８】
0005533971.tif 000029